(57)【特許請求の範囲】
【請求項１】
少なくとも座部および該座部の側部から上方に突出した肘掛け部を有する椅子本体と、袋状に形成されて前記椅子本体を全体的に包み込むとともに前記椅子本体の底部に着脱可能に止着される下端開放部を有する張地と、該張地の上から前記椅子本体の肘掛け部の頂部に対し接合手段を介して着脱可能に取り付けられる肘掛け部材とを備え、前記張地には前記接合手段の位置に対応して開口が設けられていることを特徴とする応接椅子。
【請求項２】
前記接合手段が前記椅子本体の肘掛け部の頂部と前記肘掛け部材下面とに設けられて互いに着脱可能な面ファスナーからなる請求項１記載の応接椅子。
【請求項３】
前記接合手段が前記椅子本体の肘掛け部の頂部と前記肘掛け部材下面とに設けられて互いに着脱可能なマグネットと磁性体からなる請求項１記載の応接椅子。
【請求項４】
前記椅子本体が背部を有し、該背部の上の前記張地の上から背上当て部材が該背部の頂部に対し接合手段を介して着脱可能に取り付けられており、前記張地には前記背部の上の接合手段の位置に対応して開口が設けられていることを特徴とする請求項１から３までの何れか１つに記載の応接椅子。
【発明の詳細な説明】
【０００１】
【発明の属する技術分野】
本発明は肘掛け部を有する応接椅子に関する。
【０００２】
【従来の技術】
肘掛け部を有する応接椅子として、該椅子本体に接着又はタッカー等で固着される張地によって該椅子本体の肘掛け部を被覆した構成のものが広く用いられている。また、椅子本体の肘掛け部を張地で被覆するとともにその上から木製の肘掛け部材を肘掛け部に固着した構成の応接椅子も知られている。
【０００３】
【発明が解決しようとする課題】
椅子本体の肘掛け部を張地にて被覆した構成の応接椅子においては、肘掛け部上の張地が早期に汚れやすくまた傷みやすいため、応接椅子を長期にわたり使用するには張地の頻繁な張り替えが必要になるという欠点がある。
【０００４】
一方、椅子本体の肘掛け部を張地で被覆するとともにその上に木製の肘掛け部材を固着した構成の応接椅子においては、肘掛け部材で肘を支えるので汚れにくく、また汚れても容易に拭き取るとことができるという利点があり、さらに高級感のある美観が得られるという利点があるが、肘掛け部材が保持と共に椅子本体の肘掛け部に固着されているため、肘掛け部材が傷ついたり破損したりしたときには肘掛け部材のみを交換することができず、また、張地のみの交換もできない。このため、肘掛け部材と張地のどちらかが使えなくなると椅子全体を粗大ごみとして廃棄せざるを得ないという欠点があった。
【０００５】
したがって、本発明の目的は、肘掛け部に汚れや傷が付きにくく且つ傷等が生じたときの部品交換が容易で、椅子本体を長期にわたり使用することができる応接椅子を提供することにある。
【０００６】
【課題を解決するための手段】
上記課題を解決するために、本発明は、少なくとも座部および該座部の側部から上方に突出した肘掛け部を有する椅子本体と、袋状に形成されて前記椅子本体を全体的に包み込むとともに前記椅子本体の底部に着脱可能に止着される下端開放部を有する張地と、該張地の上から前記椅子本体の肘掛け部の頂部に対し接合手段を介して着脱可能に取り付けられる肘掛け部材とを備え、前記張地には前記接合手段の位置に対応して開口が設けられていることを特徴とする応接椅子を提供する。
【０００７】
上記構成によれば、袋状の張地は少なくとも座部および肘掛け部を有する椅子本体を全体的に包み込むように被着されてその下端開放部が椅子本体の底部に着脱可能に止着されているので、張地が汚れたり傷ついたりしたときは張地のみを容易に取り換えることができる。しかも、肘掛け部材が張地の上から椅子本体の肘掛け部の頂部に対し接合手段を介して着脱可能に取り付けられており、且つ、張地には接合手段の位置に対応して開口が設けられているので、椅子本体に対し着脱可能に被着された張地を肘掛け部材によって椅子本体の肘掛け部に固定することができその位置ずれを防止できるとともに、汚れや擦り傷、摩耗等が生じやすい肘掛け部の上の張地の上面を肘掛け部材で保護することができる。そして、肘掛け部材に汚れや傷がついたときは張地に損傷を与えることなく肘掛け部材のみを容易に交換することができる。したがって、張地や椅子本体を長期にわたり使用することができるようになる。しかも、肘掛け部材及び張地を容易に取り外すことができるので、環境問題を考慮した応接椅子の分別廃棄が容易となる。しかも、張地を異なる色、模様、素材のものに容易に交換することができるとともに、肘掛け部材を異なる外観形状、色、素材のものに交換し椅子のデザインを容易に変更することができるので、実用性及び装飾性に優れた応接椅子を提供できることとなる。
【０００８】
好ましくは、前記接合手段が前記椅子本体の肘掛け部の頂部と前記肘掛け部材下面とに設けられて互いに着脱可能な面ファスナーからなる。或いは、前記接合手段が前記椅子本体の肘掛け部の頂部と前記肘掛け部材下面とに設けられて互いに着脱可能なマグネットと磁性体からなる。かかる構成によれば、肘掛け部材を椅子本体の肘掛け部に安定且つ強固に取り付けることができる。
【０００９】
しかも、前記接合手段が面ファスナー若しくはマグネットと磁性体とからなるので、肘掛け部材の着脱容易な取付構造を安価に実現することができる。
【００１０】
また好ましくは、前記椅子本体が背部を有し、該背部の上の前記張地の上から背上当て部材が該背部の頂部に対し接合手段を介して着脱可能に取り付けられており、前記張地には前記背部の上の接合手段の位置に対応して開口が設けられる。係る構成によれば、椅子本体に着脱可能に被着されている張地を背上当て部材によって椅子本体に対し効果的に固定しその位置ずれを防止することができるとともに、背部の上の張地の上面を背上当て部材で保護することができる。そして、背上当て部材に汚れや傷がついたときは張地に損傷を与えることなく背上当て部材のみを容易に交換することができるようになる。
【００１１】
【発明の実施の形態】
以下、図面を参照して本発明の好ましい実施形態を説明する。
【００１２】
【実施例】
図１〜図９は本発明の一実施例を示したものであり、図１は応接椅子の斜視図、図２は正面図、図３は図２中３−３線に沿った断面図である。図４（ａ）、（ｂ）はそれぞれ図１の応接椅子に用いられる肘掛け部材の底面図及び椅子本体の肘掛け部の平面図であり、図５は肘掛け部材と椅子本体のとの取付構造を示す要部拡大断面図である。図６は図１に示す椅子の一部破断要部分解斜視図であり、図７（ａ）、（ｂ）、（ｃ）、（ｄ）はそれぞれ図１に示す応接椅子の分解方法を示す説明図である。図８は座部材とネット材と座カバーとの関係を示す分解斜視図であり、図９（ａ），（ｂ）は椅子本体を分解する手順を示すせずである。
【００１３】
はじめに図１〜図３を参照すると、応接椅子１０は座部１１の両側に肘掛け部１２，１３を有し、座部１１と背部１４にそれぞれ座部クッション１５及び背クッション１６を備えたものとなっている。
【００１４】
図３及び図６に示すように、応接椅子１０は全体的に符号２０で示す椅子本体を有し、この椅子本体２０は左右一対の側部材２１，２２、前部材２３、背部材２４、座部材２５を有し、側部材２１，２２、前部材２３及び背部材２４はそれぞれ木材からなる枠構造体とダンボール紙からなる壁材とで組み立てられている。したがって、応接椅子１０の廃棄時に側部材２１，２２、前部材２３及び背部材２４はそれぞれ可燃ごみとして分別可能であり、リサイクルが可能である。一方、座部材２５は略矩形をなす枠体２６と、両端がこの枠体２６に取り付けられた複数本の弾性支持体２７とからなっており、弾性支持体２７は金属例えばばね鋼製のスプリング材からなり、枠体２６も金属例えば鋼製のＬ字形アングル材で組み立てられている。したがって、応接椅子１０の廃棄時に座部材２５は不燃ごみとして分別可能であり、リサイクルが可能である。各弾性支持体２７は枠体２６に溶接等で固着されていてもよいが、好ましくは、枠体２６と弾性支持体２７とを更に分別できるように、各弾性支持体２７は枠体２６に着脱可能に取り付けられる。
【００１５】
図２、図３及び図６からわかるように、背部材２４は、該背部材２４の左右両端部又は側部材２１，２２の後端部内側面のうちの一方（図実施例では背部材２４の左右両端面の上下２箇所）に設けただぼ３１と他方（図実施例では側部材２１，２２の後端部内側面の上下２箇所）に形成しただぼ穴との嵌合により、側部材２１，２２の後端部内側面間に係止可能であり、さらにボルトとナットとからなる連結部材２８により側部材２１，２２の後端部内側面に着脱可能に締結固定されている。
【００１６】
一方、この実施例では、座部材２５は、図８に示すように、その上面（図８では下側）に網目状のネット材５０を被せた後、さらに蓋部５２を有する袋状の座カバー５１に収容されるように構成されており、図９（ａ），（ｃ）に示すように、座部材２５はこの座カバー５１に収容されたまま側部材２１，２２と背部材２４に対しそれぞれボルトとナットとからなる連結部材２９，３０により着脱可能に締結固定することができるものとなっている。必要に応じ座カバー５１の上内面にはクッション材５３が配置される。蓋部５２は座カバー５１に対し両側縁に設けられているチャック形のファスナー（図示略）によって開閉可能となっている。
【００１７】
一方、前部材２３は、該前部材２３と側部材２１，２２のうちの一方（図実施例では前部材２３の左右両端面の上下２箇所）に設けただぼ３２と他方（図実施例では側部材２１，２２の前端部内側面の上下２箇所）に形成しただぼ穴３３との嵌合により、側部材２１，２２の前端部内側面間に係止可能であり、側部材２１，２２、背部材２４、座部材２５を連結固定するときに前部材２３を側部材２１，２２間に係止させることにより、前部材２３を側部材２１，２２間に固定することができる。各連結部材２８〜３０におけるボルト及びナットは側部材２１，２２、背部材２４、座部材２５等に対し着脱可能であるので、応接椅子１０の廃棄時に連結部材２８〜３０を分別することができる。だぼ３１，３２はそれを取り付ける枠体（図示実施例では背部材及び前部材の枠体）と同種材料からなるときは枠体に固着してもよいが、枠体とは異種の材料例えば金属からなるときは枠体に対し着脱可能に取り付けることが望ましい。
【００１８】
椅子本体２０を組み立てたとき、座部材２５は座カバー５１に収納された状態で椅子本体２０の座部を形成し、背部材２４は椅子本体２０の背部を形成する。側部材２１，２２の頂部２１ａ，２２ａはそれぞれ椅子本体２０の肘掛け部をなす。また、側部材２１，２２の頂部２１ａ，２２ａはその後端部で背部材２４の頂部２４ａと面一になる。側部材２１，２２の底部にはそれぞれ前後２箇所に脚座３４が木ねじ３５により着脱可能に取り付けられる。
【００１９】
図１，２，３，７（ａ）に示すように、組立ての完了した椅子本体２０には例えば布、樹脂シート等からなる袋状の張地３６が被着される。この実施例では、図７（ｂ），（ｃ）に示すように、張地３６は下端部が開放しており、該下端部を椅子本体２０における側部材２１，２２、前部材２３及び背部材２４の底部にそれぞれ例えばループとフックで対をなす面ファスナー３７，３８を介して着脱可能に取り付けることができる。また、張地３６は背部材２４の背面に沿って縦方向に延びるチャック形のファスナー３９により下端開放部を切り開くことができるので、椅子本体２０への着脱作業を容易に行うことができる。座クッション１５は張地３６の上から椅子本体２０の座部に載置され、背クッション１６は張地３６の上から椅子本体２０の背部に添設される。
【００２０】
応接椅子１０はさらに一対の肘掛け部材４０，４１を備えており、これら肘掛け部材４０，４１はそれぞれ張地３６の上から椅子本体２０の肘掛け部すなわち側部材２１，２２の頂部２１ａ，２２ａに着脱可能に取り付けることができる。
【００２１】
図４（ａ）か（ｂ）、図５及び図６に示すように、肘掛け部材４０，４１を側部材２１，２２の頂部２１ａ，２２ａに着脱可能に取り付けるために、肘掛け部材４０，４１の下面及び側部材２１，２２の頂部２１ａ，２２ａに接合手段としての面ファスナー４３，４４がそれぞれ取り付けられている。面ファスナー４３，４４は一方が支持体上に多数のループを、また他方が支持体上に多数のフックを備えるものである。さらに、肘掛け部材４０，４１の下面には側部材２１，２２の頂部２１ａ，２２ａに形成されただぼ穴２１ｂ，２２ｂに嵌合する位置合わせ用のだぼ４５，４６が突設されている。
【００２２】
この実施例では肘掛け部材４０，４１の後端部間を繋ぐ背上当て部材４２が背部材２４の頂部２４ａに対し着脱可能に取り付けられる。図６及び図７（ａ）からわかるように、背上当て部材４２も同様に面ファスナー４７，４８により背部材２４の頂部２４ａに対し着脱可能となっており、また、だぼ４９とだぼ穴２４ｂにより位置合わせ可能となっている。これら肘掛け部材４０，４２及び背上当て部材４２は一体に形成してもよいが、互いに分離可能に形成することにより、個別の交換や保管、運搬、搬入等を容易にすることができる。また、背上当て部材４２を省略してもよい。
【００２３】
図５、図７（ａ），（ｄ）に示すように、側部材２１，２２及び背部材２４の頂部２１ａ，２２ａ，２４ａに設けられている面ファスナー４４，４８及びだぼ穴２１ｂ，２２ｂ，２４ｂの位置に対応して、張地３６にはそれぞれ面ファスナー用の開口３６ａ，３６ｂ，３６ｃとだぼ挿通用の開口３６ｄ，３６ｅ，３６ｆが形成されている。
【００２４】
上記構成を有する応接椅子１０においては、肘掛け部材４０，４１が張地３６の上から椅子本体２０の頂部すなわち肘掛け部２１ａ，２２ａ及び張地３６に対し着脱可能に取り付けられているので、張地３６に損傷を与えることなく肘掛け部材４０，４１を容易に交換することができる。したがって、肘掛け部材４０，４１に傷が付いたときは肘掛け部材４０，４１のみを交換することができる。したがって、椅子本体２０を長期にわたり使用することができるようになる。また、肘掛け部材４０，４１を異なる外観形状、色、素材のものに交換することにより、応接椅子１０のデザインを容易に変更することができる。
【００２５】
また、肘掛け部材４０，４１及び側部材２１，２２の頂部に設けられた面ファスナー４３，４４は張地３６に形成した開口３６ａ，３６ｂを介して互いに着脱可能に接合することができるので、肘掛け部材４１，４２を椅子本体２０の肘掛け部２１ａ，２２ａに安定且つ強固に取り付けることができるとともに、肘掛け部材４１，４２の着脱時に誤って張地３６を破る虞れを少なくすることができる。また、張地３６がずれたり剥がれたりすることを防止できる。
【００２６】
さらに、上記実施例においては、張地３６が椅子本体２０に着脱可能に被着されているので、張地３６が汚れたり傷ついたときに肘掛け部材４１，４２を取り外して張地３６のみを容易に交換できるとともに、張地３６を異なる色、模様、素材のものに容易に交換することができる。したがって、椅子本体２０を長期にわたり使用することができるようになる。また、肘掛け部材４１，４２及び張地３６を椅子本体２０から容易に取り外すことができるので、環境問題を考慮した応接椅子の分別廃棄が容易ととなる。
【００２７】
以上、本発明の一実施例につき説明したが、本発明は上記実施例の態様のみに限定されるものではなく、例えば、本発明は、座部の片側のみに肘掛け部を有する応接椅子や、種々の外観形状例えば横長形、Ｌ字形、弧状形等をなす応接椅子、ソファー等に適用することができる。また、肘掛け部材を椅子本体の肘掛け部（側部材の頂部）に着脱可能に取り付けるための接合手段としては面ファスナーに限られず、図示は省略するが、例えばマグネットと磁性体とを用いて構成してもよい。
【００２８】
【発明の効果】
以上の説明から明らかなように、本発明に係る応接椅子は、少なくとも座部および該座部の側部から上方に突出した肘掛け部を有する椅子本体と、袋状に形成されて前記椅子本体を全体的に包み込むとともに前記椅子本体の底部に着脱可能に止着される下端開放部を有する張地と、該張地の上から前記椅子本体の肘掛け部の頂部に対し接合手段を介して着脱可能に取り付けられる肘掛け部材とを備え、前記張地には前記接合手段の位置に対応して開口が設けられていることを特徴とするものであるから、椅子本体に対し着脱可能に被着された張地を肘掛け部材によって椅子本体の肘掛け部に固定することができその位置ずれを防止できるとともに、汚れや擦り傷、摩耗等が生じやすい肘掛け部の上の張地の上面を肘掛け部材で保護することができる。そして、肘掛け部材に汚れや傷がついたときは張地に損傷を与えることなく肘掛け部材のみを容易に交換することができる。したがって、張地や椅子本体を長期にわたり使用することができるようになる。しかも、肘掛け部材及び張地を容易に取り外すことができるので、環境問題を考慮した応接椅子の分別廃棄が容易となる。しかも、張地を異なる色、模様、素材のものに容易に交換することができるとともに、肘掛け部材を異なる外観形状、色、素材のものに交換し椅子のデザインを容易に変更することができるので、実用性及び装飾性に優れた応接椅子を提供することができる。
【図面の簡単な説明】
【図１】本発明の一実施例を示す応接椅子の斜視図。
【図２】図１に示す応接椅子の正面図。
【図３】図１に示す応接椅子の図２中３−３線に沿った断面図。
【図４】（ａ）、（ｂ）はそれぞれ図１の応接椅子に用いられる肘掛け部材の底面図及び椅子本体の肘掛け部の平面図。
【図５】肘掛け部材と椅子本体のとの取付構造を示す要部拡大断面図。
【図６】図１に示す椅子の一部破断要部分解斜視図。
【図７】（ａ）、（ｂ）、（ｃ）、（ｄ）はそれぞれ図１に示す応接椅子の分解手順を示す説明図。
【図８】図１に示す椅子に用いられる座部材とネット材と座カバーとを示す分解斜視図。
【図９】（ａ）、（ｂ）はそれぞれ図１に示す応接椅子の椅子本体の分解手順を示す説明図。
【符号の説明】
１０    応接椅子
１１    座部
１２，１３    肘掛け部
１４    背部
１５    座クッション
１６    背クッション
２０    椅子本体
２１，２２    側部材
２３    前部材
２４    背部材
２５    座部材
２６    枠体
２７    弾性支持体
２８，２９，３０    連結部材
３１，３２    だぼ
３３    だぼ穴
３４    脚座
３５    木ねじ
３６    張地
３６ａ〜３６ｆ    開口
３７，３８    面ファスナー
３９    チャック形のファスナー
４０，４１    肘掛け部材
４２    背上当て部材
４３，４４，４７，４８    面ファスナー
４５，４６，４９    だぼ
２１ｂ，２２ｂ，２４ｂ    だぼ穴
５０    ネット材
５１    座カバー
５２    蓋部
【図１】
0003659620.tif 000002
【図２】
0003659620.tif 000003
【図３】
0003659620.tif 000004
【図４】
0003659620.tif 000005
【図５】
0003659620.tif 000006
【図６】
0003659620.tif 000007
【図７】
0003659620.tif 000008
【図８】
0003659620.tif 000009
【図９】
0003659620.tif 000010